(57)【要約】【課題】紙幣投入口の位置の確認が容易であり、紙幣を容易に投入することのできる自動販売機を提供する。【解決手段】紙幣識別装置２６ａを、紙幣の両面を幅方向に向けた状態で投入できるように、紙幣投入口２６の長手方向を上下に向けて配置したので、利用者が紙幣投入口２６を上方から見た場合においても、紙幣投入口２６の位置を視認することができ、紙幣を紙幣投入口２６に投入する動作を容易に行うことが可能となる。【選択図】図１
2008040533.tif 000002
【特許請求の範囲】
【請求項１】
自動販売機本体の前面を開閉する外扉に紙幣投入口を有し、紙幣投入口から投入された紙幣を識別する紙幣識別装置を備えた自動販売機において、
前記紙幣識別装置を、紙幣の両面を自動販売機本体の幅方向に向けた状態で投入できるように、紙幣投入口の長手方向が上下に向くように配置した
ことを特徴とする自動販売機。
【請求項２】
前記紙幣投入口に投入される紙幣を紙幣投入口に案内する紙幣案内部材を備えた
ことを特徴とする請求項１記載の自動販売機。
【請求項３】
前記紙幣案内部材に、紙幣投入口に投入される紙幣を幅方向に案内する紙幣案内部を設けた
ことを特徴とする請求項２記載の自動販売機。
【請求項４】
前記紙幣案内部材に、紙幣投入口に投入される紙幣の下端が接触することにより紙幣の上下の位置決めを行う紙幣位置決め部を設けた
ことを特徴とする請求項２または３記載の自動販売機。
【請求項５】
前記紙幣案内部材の上面に、幅方向中央部から幅方向外側に向かって下るように傾斜面を設けた
ことを特徴とする請求項２乃至４の何れか一項に記載の自動販売機。
【請求項６】
前記紙幣案内部に、紙幣投入口側から斜め下方に延びる突条または溝を設けた
ことを特徴とする請求項３記載の自動販売機。
【請求項７】
前記紙幣位置決め部を、紙幣投入口側から下方に傾斜するように形成した
ことを特徴とする請求項４記載の自動販売機。
【請求項８】
前記紙幣位置決め部に、水抜き孔を設けた
ことを特徴とする請求項４記載の自動販売機。
【請求項９】
前記外扉に設けられた開口部の下方に紙幣投入口を設け、
紙幣投入口の背面側に設けられた紙幣識別装置の背面側に、幅方向一端側が回転自在に支持され、紙幣識別装置に収納された紙幣を取り出し可能に開閉する取り出し扉を設けた
ことを特徴とする請求項１乃至８の何れか一項に記載の自動販売機。
【発明の詳細な説明】
【技術分野】
【０００１】
本発明は、紙幣識別装置を備えた自動販売機に関するものである。
【背景技術】
【０００２】
従来、この種の自動販売機としては、自動販売機本体の前面を開閉する外扉に紙幣投入口を有する紙幣識別装置を備えたものが知られている（例えば、特許文献１参照）。
【特許文献１】特開２００５−１６５５９５号公報
【発明の開示】
【発明が解決しようとする課題】
【０００３】
従来の自動販売機では、商品サンプルを展示するためのサンプル展示部が外扉の上部に設けられており、紙幣投入口はサンプル展示部の下方に位置する外扉の低い位置に設けられている。紙幣投入口は、水平方向に延びるように設けられ、紙幣の両面を上下方向に向けた状態で紙幣を紙幣投入口に投入するようになっているため、利用者が上方から紙幣投入口を見た場合には、正確な紙幣投入口の位置を確認し難く、利用者は屈んだ状態で顔を紙幣投入口に近づけて紙幣を紙幣投入口に投入しなければならず、利用者にとって紙幣投入口に紙幣を投入する動作が困難となる。
【０００４】
本発明は前記問題点に鑑みてなされたものであり、その目的とするところは、紙幣投入口の位置の確認が容易であり、紙幣を容易に投入することのできる自動販売機を提供することにある。
【課題を解決するための手段】
【０００５】
本発明は前記目的を達成するために、自動販売機本体の前面を開閉する外扉に紙幣投入口を有し、紙幣投入口から投入された紙幣を識別する紙幣識別装置を備えた自動販売機において、前記紙幣識別装置を、紙幣の両面を自動販売機本体の幅方向に向けた状態で投入できるように、紙幣投入口の長手方向が上下に向くように配置している。
【０００６】
これにより、紙幣投入口の長手方向が上下に向けて配置されることから、利用者が紙幣投入口を上方から見た場合においても、紙幣投入口の位置が視認可能となる。
【発明の効果】
【０００７】
本発明によれば、利用者が紙幣投入口を上方から見た場合においても、紙幣投入口の位置を視認することができ、紙幣を紙幣投入口に投入する動作を容易に行うことが可能となる。
【発明を実施するための最良の形態】
【０００８】
図１乃至図６は本発明の一実施形態を示すもので、図１は自動販売機の全体斜視図、図２は紙幣案内部材及び紙幣識別装置を示す要部斜視図、図３は取り出し扉を開放した状態を示す紙幣案内部材及び紙幣識別装置の要部斜視図、図４は紙幣案内部材の斜視図、図５は紙幣案内部材の正面図、図６は紙幣案内部材の側面断面図である。
【０００９】
この自動販売機は、前面に開口部を有する自動販売機本体１０と、幅方向一端側が自動販売機本体１０の開口部の幅方向一端側に回転自在に連結され、自動販売機本体１０の開口部を開閉する外扉２０とを備えている。
【００１０】
自動販売機本体１０は、内部に収納された缶入り飲料またはペットボトル入り飲料等の商品を搬出するための図示しない商品搬出装置と、商品を冷却するための図示しない冷却装置を備えている。
【００１１】
外扉２０の前面には、外扉２０の開口部が透明板によって覆われ、自動販売機本体１０内に収納される商品のサンプルを外扉２０の内部に展示するためのサンプル展示部２１、商品選択ボタン２２、金額表示部２３、硬貨投入口２４、返却レバー２５、紙幣投入口２６、硬貨返却口２７及び商品取出口２８が設けられている。
【００１２】
紙幣投入口２６は、紙幣の両面を自動販売機本体１０の幅方向に向けた状態で紙幣を投入可能に上下方向に延びるように設けられ、サンプル展示部２１の下方に配置されている。外扉２０の紙幣投入口２６の背面側には、紙幣投入口２６から投入された紙幣の真偽及び紙幣の種類を識別するための紙幣識別装置２６ａが投入口の長手方向を上下に向けて配置されている。紙幣識別装置２６ａは、内部に収納された紙幣を取り出すための取り出し扉２６ｂが背面側に設けられている。取り出し扉２６ｂは、幅方向一端側が回転自在に支持され、外扉２０の背面側から取り出し扉２６ｂを幅方向に回転させることにより、紙幣識別装置２６ａの背面側を開閉するようになっている。
【００１３】
また、紙幣投入口２６の前面側には、投入する紙幣を紙幣投入口２６に案内するための紙幣案内部材２９が設けられている。紙幣案内部材２９は、紙幣投入口２６の外周部を囲むように設けられた合成樹脂製の部材からなり、投入する紙幣を幅方向に案内する一対の紙幣案内部２９ａと、投入する紙幣の上下方向の位置決めを行う紙幣位置決め部２９ｂとを有している。
【００１４】
各紙幣案内部２９ａは、紙幣投入口２６の幅方向両側の上下に亘ってそれぞれ設けられ、紙幣投入口２６の幅方向両側からそれぞれ幅方向外側に向かって斜め前方に延びるように設けられている。また、各紙幣案内部２９ａには、紙幣投入口２６から前方に向かって斜め下方に延びるように設けられ、紙幣案内部２９ａを流れる雨水を前方に排出するための上下複数の突条２９ｃが設けられている。
【００１５】
紙幣位置決め部２９ｂは、各紙幣案内部２９ａの下端の間を前後に亘って接続するように設けられ、各紙幣案内部２９ａの間に挿入された紙幣の下端を接触させることにより、紙幣を投入する高さが位置決めされるようになっている。また、紙幣位置決め部２９ｂは、上面が紙幣投入口２６から前方に向かって下り傾斜をなすように形成され、紙幣位置決め部２９ｂの上面の雨水を前方に排出するようになっている。
【００１６】
また、紙幣案内部材２９の上面には、幅方向中央から外側に傾斜するように傾斜面２９ｄが設けられ、外扉２０の外面を伝って上方から紙幣案内部材２９の上部に流れ込む雨水及び紙幣案内部材２９の上部に直接落下する雨水を傾斜面２９ｄによって外側に流通させるようになっている。
【００１７】
以上のように構成された自動販売機において、利用者が紙幣を使用して商品を購入する場合に、利用者は、紙幣の両面を幅方向に向けた状態で紙幣を紙幣案内部材２９の各紙幣案内部２９ａの間に挿入し、紙幣の下端を紙幣位置決め部２９ｂの上面に接触させながら前方に移動させる。これにより、紙幣は、紙幣位置決め部２９ｂによって上下方向の位置が決められるとともに、前方に移動させることにより先端側が各紙幣案内部２９ａによって紙幣投入口２６に案内され、紙幣が紙幣投入口２６に挿入される。
【００１８】
また、自動販売機が屋外に設置されている場合に、外扉２０を伝って下方に流れる雨水は、紙幣投入口２６の上方において紙幣案内部材２９の傾斜面２９ｄを流通することから、紙幣投入口２６に流入することなく紙幣案内部材２９の外側から下方に流通する。また、紙幣案内部材２９の紙幣案内部２９ａに流入する雨水は、各紙幣案内部２９ａの突条２９ｃに沿って前方に流通することから、紙幣投入口２６に流入することはない。更に、紙幣案内部材２９の紙幣位置決め部２９ｂに流入する雨水は、紙幣位置決め部２９ｂの上面の傾斜によって前方に流通することから、紙幣投入口２６に流入することはない。
【００１９】
また、紙幣識別装置２６ａは、サンプル展示部２１の下方に設けられ、取り出し扉２６ｂが幅方向に回転することにより紙幣識別装置２６ａの背面側を開閉することから、サンプル展示部２１からバール等の工具を外扉２０内に挿入させて取り出し扉２６ｂを開放するといった不正行為を防止することが可能となる。
【００２０】
このように、本実施形態の自動販売機によれば、紙幣識別装置２６ａを、紙幣の両面を幅方向に向けた状態で投入できるように、紙幣投入口２６の長手方向を上下に向けて配置したので、利用者が紙幣投入口２６を上方から見た場合においても、紙幣投入口２６の位置を視認することができ、紙幣を紙幣投入口２６に投入する動作を容易に行うことが可能となる。
【００２１】
また、紙幣投入口２６に投入される紙幣を紙幣投入口２６に案内する紙幣案内部材２９を備えたので、紙幣を紙幣投入口２６に向かって移動させることにより、投入する紙幣を紙幣案内部材２９によって紙幣投入口２６に案内することができ、紙幣を紙幣投入口２６に挿入する動作を更に容易に行うことが可能となる。
【００２２】
また、紙幣案内部材２９に、投入される紙幣を幅方向に案内する紙幣案内部２９ａを設けたので、紙幣の両面を幅方向に向けた状態で、紙幣を前方から紙幣投入口２６に向かって移動させるだけで、紙幣の先端側を紙幣投入口２６に案内することができ、紙幣を紙幣投入口２６に投入する動作を更に容易に行うことが可能となる。
【００２３】
また、紙幣案内部材２９に、投入される紙幣の下端が接触することにより紙幣の上下の位置決めを行う紙幣位置決め部２９ｂを設けたので、紙幣の両面を幅方向に向けた状態で、紙幣の下端を紙幣位置決め部２９ｂに接触させることにより、紙幣投入口２６に投入する紙幣の高さ位置を位置決めすることができ、紙幣を紙幣投入口２６に投入する動作を更に容易に行うことが可能となる。
【００２４】
また、紙幣案内部材２９の上面に、幅方向中央部から幅方向外側に向かって下るように傾斜面２９ｄを設けたので、紙幣案内部材２９の上方から下方に流通する雨水を紙幣案内部材２９の幅方向両側に流通させることができ、雨水の紙幣投入口２６内への進入を防止することが可能となる。
【００２５】
また、紙幣案内部２９ａに、紙幣投入口２６側から斜め下方に延びる突条２９ｃを設けたので、紙幣案内部２９ａに流入する雨水を紙幣投入口２６側から外側に流通させることができ、紙幣投入口２６内への雨水の進入を防止することが可能となる。
【００２６】
また、紙幣位置決め部２９ｂの上面を、紙幣投入口２６側から下方に傾斜するように形成したので、紙幣位置決め部２９ｂに流入する雨水を紙幣投入口２６側から外側に流通させることができ、紙幣投入口２６内への雨水の進入を防止することが可能となる。
【００２７】
また、外扉２０に設けられたサンプル展示部２１等の開口部の下方に紙幣投入口２６を設け、紙幣投入口２６の背面側に設けられた紙幣識別装置２６ａの背面側に、幅方向一端側が回転自在に支持され、紙幣識別装置２６ａに収納された紙幣を取り出し可能に開閉する取り出し扉２６ｂを設けたので、紙幣識別装置２６ａ内をサンプル展示部２１等の開口部側以外に向けて開放させることができ、開口部からバール等の工具を挿入して取り出し扉２６ｂを開放し、紙幣識別装置２６ａに収納された紙幣を抜き取るといった不正行為を防止することができるとともに、バール等による紙幣識別装置２６ａの破壊も困難となる。
【００２８】
尚、前記実施形態では、各紙幣案内部２９ａに、紙幣投入口２６から前方に向かって斜め下方に延びるように設けられ、紙幣案内部２９ａを流れる雨水を前方に排出するための上下複数の突条２９ｃを設けたものを示したが、図７に示すように、紙幣投入口２６から前方に向かって斜め下方に延びるように設けられ、紙幣案内部２９ａを流れる雨水を前方に排出するための上下複数の溝２９ｅを設けても、前記実施形態と同様の効果を得ることが可能となる。
【００２９】
また、前記実施形態では、紙幣位置決め部２９ｂを、上面が紙幣投入口２６から前方に向かって下り傾斜をなすように形成することにより、紙幣位置決め部２９ｂの上面の雨水を前方に排出するようにしたものを示したが、図８に示すように、紙幣位置決め部２９ｂに、上下に貫通する水抜き孔２９ｆを設け、紙幣位置決め部２９ｂの上面の雨水を水抜き孔２９ｆから排出するようにしても、前記実施形態と同様の効果を得ることが可能となる。
【図面の簡単な説明】
【００３０】
【図１】本発明の一実施形態を示す自動販売機の全体斜視図
【図２】紙幣案内部材及び紙幣識別装置を示す要部斜視図
【図３】取り出し扉を開放した状態を示す紙幣案内部材及び紙幣識別装置の要部斜視図
【図４】紙幣案内部材の斜視図
【図５】紙幣案内部材の正面図
【図６】紙幣案内部材の側面断面図
【図７】その他の例を示す紙幣案内部材の正面図
【図８】その他の例を示す紙幣案内部材の側面断面図
【符号の説明】
【００３１】
１０…自動販売機本体、２０…外扉、２６…紙幣投入口、２６ａ…紙幣識別装置、２９…紙幣案内部材、２９ａ…紙幣案内部、２９ｂ…紙幣位置決め部、２９ｃ…突条、２９ｄ…傾斜面、２９ｅ…溝、２９ｆ…水抜き孔。
【図１】
2008040533.tif 000003
【図２】
2008040533.tif 000004
【図３】
2008040533.tif 000005
【図４】
2008040533.tif 000006
【図５】
2008040533.tif 000007
【図６】
2008040533.tif 000008
【図７】
2008040533.tif 000009
【図８】
2008040533.tif 000010